(57)【特許請求の範囲】
【請求項１】
複数のダイヤルボタンと、各々に特定の電話番号が登録される複数のワンタッチボタンとを備える留守番電話機能付き電話端末において、
通常モードでは、それぞれのワンタッチボタンを操作することで、各ワンタッチボタンに登録された電話番号への発信ができるとともに、
留守番モードでは、着信先の発信者番号がワンタッチボタンに登録されている電話番号と同一か照合を行い、同一である場合には、視覚的に着信先、該着信先からの着信件数、及びメッセージの有無が分かるように、該当するワンタッチボタンを着信先からの着信件数及びメッセージの有無に応じて点灯様式を変化させるように点灯させ、点灯したワンタッチボタンを操作することでダイヤルボタンを該着信先からの着信件数分点灯させ、且つ、点灯するダイヤルボタンの点灯様式を着信情報に応じて変化させることを特徴とする電話端末。
【請求項２】
前記着信情報は記録された順番にダイヤルボタンに割り当てられ、任意のダイヤルボタンを押下することで一以上の着信情報から１つを選択して再生できることを特徴とする請求項１に記載の電話端末。
【請求項３】
前記点灯様式は、着信先からの着信のみの場合と着信先からのメッセージ有りの場合とで点灯するダイヤルボタンの色彩を異ならせる様式であることを特徴とする請求項１又は２に記載の電話端末。
【請求項４】
複数のダイヤルボタンと、各々に特定の電話番号が登録される複数のワンタッチボタンとを備える留守番電話機能付き電話端末において、
着信信号を受けて発信者番号を取得する番号取得部と、
電話端末の状態が通常モード又は留守電モードかを判別し、通常モードの場合には表示部に発信者情報を表示し、留守電モードの場合には番号取得部で取得した発信者番号をデータ送付指示する判別部と、
前記ワンタッチボタンに登録してある電話番号と取得した発信者番号の照合を行い、照合結果を送付するワンタッチボタン登録部と、
回線を閉結して録音したメッセージに番号を付与し、該メッセージの番号を送付するメッセージ録音部と、
前記照合結果と前記メッセージの番号を紐付けする記録部と、
視覚的に着信先、該着信先からの着信件数、及びメッセージの有無が分かるように、該当するワンタッチボタンに対して、着信先からの着信件数及びメッセージの有無に応じて点灯様式を変化させるように点灯指示を行い、点灯しているワンタッチボタンが操作されると操作情報を記録部に送付し、着信履歴の件数及びメッセージの有無に合わせてダイヤルボタンに点灯の指示を行い、ダイヤルボタンを該着信先からの着信件数分点灯させ、且つ、点灯するダイヤルボタンの点灯様式を着信情報に応じて変化させ、メッセージを聞くため該当のダイヤルボタンが押下されると、ダイヤルボタンの押下情報を記録部に送付し、メッセージ再生を指示する制御部と、を備えることを特徴とする電話端末。
【請求項５】
前記制御部は、前記着信情報を表示部に表示することを特徴とする請求項４に記載の電話端末。
【請求項６】
複数のダイヤルボタンと、各々に特定の電話番号が登録される複数のワンタッチボタンとを備える留守番電話機能付き電話端末に着信情報を表示する方法において、
通常モードでは、それぞれのワンタッチボタンを操作することで、各ワンタッチボタンに登録された電話番号への発信ができるとともに、
留守番モードでは、着信先の発信者番号がワンタッチボタンに登録されている電話番号と同一か照合を行い、同一である場合には、視覚的に着信先、該着信先からの着信件数、及びメッセージの有無が分かるように、該当するワンタッチボタンを着信先からの着信件数及びメッセージの有無に応じて点灯様式を変化させるように点灯させ、点灯したワンタッチボタンを操作することでダイヤルボタンを該着信先からの着信件数分点灯させ、且つ、点灯するダイヤルボタンの点灯様式を着信情報に応じて変化させることを特徴とする電話端末に着信情報を表示する方法。
【請求項７】
前記着信情報は記録された順番にダイヤルボタンに割り当てられ、任意のダイヤルボタンを押下することで一以上の着信情報から１つを選択して再生できることを特徴とする請求項６に記載の電話端末に着信情報を表示する方法。
【請求項８】
前記点灯様式は、着信先からの着信のみの場合と着信先からのメッセージ有りの場合とで点灯するダイヤルボタンの色彩を異ならせる様式であることを特徴とする請求項６又は７に記載の電話端末に着信情報を表示する方法。
【請求項９】
複数のダイヤルボタンと、各々に特定の電話番号が登録される複数のワンタッチボタンとを備える留守番電話機能付き電話端末に着信情報を表示する方法において、
着信信号を受けて発信者番号を取得し、
電話端末の状態が通常モード又は留守電モードかを判別し、通常モードの場合には表示部に発信者情報を表示し、留守電モードの場合には取得した発信者番号をデータ送付指示し、
前記ワンタッチボタンに登録してある電話番号と取得した発信者番号の照合を行い、照合結果を送付し、
回線を閉結して録音したメッセージに番号を付与し、該メッセージの番号を送付し、
前記照合結果と前記メッセージの番号を紐付けし、
視覚的に着信先、該着信先からの着信件数、及びメッセージの有無が分かるように、該当するワンタッチボタンに対して、着信先からの着信件数及びメッセージの有無に応じて点灯様式を変化させるように点灯指示を行い、点灯しているワンタッチボタンが操作されると操作情報を送付し、着信履歴の件数及びメッセージの有無に合わせてダイヤルボタンに点灯の指示を行い、ダイヤルボタンを該着信先からの着信件数分点灯させ、且つ、点灯するダイヤルボタンの点灯様式を着信情報に応じて変化させ、メッセージを聞くため該当のダイヤルボタンが押下されると、ダイヤルボタンの押下情報を送付し、メッセージ再生を指示することを特徴とする電話端末に着信情報を表示する方法。
【請求項１０】
前記着信情報を表示部に表示することを特徴とする請求項９に記載の電話端末に着信情報を表示する方法。
【発明の詳細な説明】
【技術分野】
【０００１】
本発明は、着信先の発信者番号をワンタッチボタンに登録されている電話番号と照合し、ワンタッチボタンとダイヤルボタンを可視表示器として着信情報を表示する電話端末及び電話端末に着信情報を表示する方法に関する。
【背景技術】
【０００２】
従来、留守番電話機能を有する電話機においては、着信を受けて発信者からのメッセージが録音されると、電話をかけてきた相手や録音されているメッセージを１件１件順番に確認をする必要があった。
【０００３】
そのため、留守電に多くの着信履歴やメッセージが登録されていた場合、その中に重要なメッセージが有るのか無いのか分からないため初めから１件１件登録されているものを確認していた。予め重要なメッセージが有るはずだと分かっていても何件目のメッセージか分からずメッセージを聞くまでに時間がかかってしまっていた。さらに同じ発信元から数件かかっていた場合、何件目と何件目に登録されているか分からず、この場合も１件1件登録されているものを確認していた。  
【０００４】
このような問題点に対して、特許文献１は、発信者番号通知サービスにより提供される発信者番号をより有効に利用することができる電話端末を開示する。詳細には、特許文献１に記載の電話端末は、着信時に通知される発信者番号を検出する発信者番号検出手段と、着信履歴情報を記憶する着信履歴メモリと、着信時の発信者番号と着信履歴情報の発信番号とが一致するか否かに応じて、着信情報を更新する着信履歴更新手段と、着信履歴情報を表示素子に表示するように制御する表示制御手段とを備える。この構成により、特許文献１では、同じ発信者番号の着信履歴情報が着信履歴メモリに複数件存在することがないようにできたり、発信者番号が同じ用件メッセージを、先に記憶されている同じ発信者番号の用件メッセージに追加することができる。
【０００５】
また、特許文献２に記載の留守番電話装置は、使用者の登録操作によって特定の相手の電話番号を記憶するための電話番号記憶手段と、電話回線から入力される発呼者通知信号を検出する発呼者通知信号検知手段と、録音したメッセージ毎に発呼者番号を記憶する発呼者記憶手段と、発呼者記憶手段に記憶された発呼者番号が認識したい発呼者からのものであるかを判断する制御手段と、その場合、その旨を表示する表示手段を備える。本留守番電話装置によると、使用者は、特定の発呼者からのメッセージがあるかないかを知ることができ、また、特定の発呼者からのメッセージのみを再生することができる。
【先行技術文献】
【特許文献】
【０００６】
【特許文献１】特開平１１−１７７６７５号公報
【特許文献２】特開平１０−１０７８９４号公報
【発明の概要】
【発明が解決しようとする課題】
【０００７】
しかしながら、特許文献１では、複数の用件メッセージが追加されて累積的に保持されるため、メモリの利用効率は改善できるが、利用者にとっての使い勝手が悪くなる問題があった。また、電話端末の本体部に設けられた単一のジョグダイヤルキーを回動操作して着信履歴情報を読み出す必要があるため、必要なメッセージを再生するまでの操作が増え、またユーザは電話端末を一目見ただけではどのような着信履歴情報が存在するのか分からないという問題があった。
【０００８】
特許文献２では、認識したい発呼者からのメッセージが録音されているかをＬＣＤなどの表示手段に表示することは開示されているが、特定の発呼者からのメッセージが複数ある場合にどのメッセージを再生するか個別に選択することができないため、電話装置の利用者は、なおも同じ発呼者からの複数のメッセージを順番に聞く必要があるという問題があった。
【０００９】
本発明の目的は、複数件の着信が混在している場合でも登録してある電話番号の相手からのメッセージを可視的に認識することができ、またそのメッセージをいち早く選択できる電話端末を提供することである。
【課題を解決するための手段】
【００１０】
上述の課題に鑑み、本発明の一態様は、複数のダイヤルボタンと、各々に特定の電話番号が登録される複数のワンタッチボタンとを備える留守番電話機能付き電話端末において、通常モードでは、それぞれのワンタッチボタンを操作することで、各ワンタッチボタンに登録された電話番号への発信ができるとともに、留守番モードでは、着信先の発信者番号がワンタッチボタンに登録されている電話番号と同一か照合を行い、同一である場合には該当するワンタッチボタンを点灯させ、点灯したワンタッチボタンを操作することで点灯するダイヤルボタンの点灯様式を着信情報に応じて可変させることを特徴とする電話端末に関する。
【００１１】
また、本発明の他の態様は、複数のダイヤルボタンと、各々に特定の電話番号が登録される複数のワンタッチボタンとを備える留守番電話機能付き電話端末において、着信信号を受けて発信者番号を取得する番号取得部と、電話端末の状態が通常モード又は留守電モードかを判別し、通常モードの場合には表示部に発信者情報を表示し、留守電モードの場合には番号取得部で取得した発信者番号をデータ送付指示する判別部と、上記ワンタッチボタンに登録してある電話番号と取得した発信者番号の照合を行い、照合結果を送付するワンタッチボタン登録部と、回線を閉結して録音したメッセージに番号を付与し、該メッセージの番号を送付するメッセージ録音部と、上記照合結果と上記メッセージの番号を紐付けする記録部と、該当するワンタッチボタンへの点灯指示を行い、点灯しているワンタッチボタンが操作されると操作情報を記録部に送付し、着信履歴の件数に合わせてダイヤルボタンに点灯の指示を行い、メッセージを聞くため該当のダイヤルボタンが押下されると、ダイヤルボタンの押下情報を記録部に送付し、メッセージ再生を指示する制御部と、を備えることを特徴とする電話端末に関する。
【００１２】
さらに、本発明の他の態様は、複数のダイヤルボタンと、各々に特定の電話番号が登録される複数のワンタッチボタンとを備える留守番電話機能付き電話端末に着信情報を表示する方法において、通常モードでは、それぞれのワンタッチボタンを操作することで、各ワンタッチボタンに登録された電話番号への発信ができるとともに、留守番モードでは、着信先の発信者番号がワンタッチボタンに登録されている電話番号と同一か照合を行い、同一である場合には該当するワンタッチボタンを点灯させ、点灯したワンタッチボタンを操作することで点灯するダイヤルボタンの点灯様式を着信情報に応じて可変させることを特徴とする電話端末に着信情報を表示する方法に関する。
【００１３】
また、本発明の他の態様は、複数のダイヤルボタンと、各々に特定の電話番号が登録される複数のワンタッチボタンとを備える留守番電話機能付き電話端末に着信情報を表示する方法において、着信信号を受けて発信者番号を取得し、電話端末の状態が通常モード又は留守電モードかを判別し、通常モードの場合には表示部に発信者情報を表示し、留守電モードの場合には取得した発信者番号をデータ送付指示し、上記ワンタッチボタンに登録してある電話番号と取得した発信者番号の照合を行い、照合結果を送付し、回線を閉結して録音したメッセージに番号を付与し、該メッセージの番号を送付し、上記照合結果と上記メッセージの番号を紐付けし、該当するワンタッチボタンへの点灯指示を行い、点灯しているワンタッチボタンが操作されると操作情報を送付し、着信履歴の件数に合わせてダイヤルボタンに点灯の指示を行い、メッセージを聞くため該当のダイヤルボタンが押下されると、ダイヤルボタンの押下情報を送付し、メッセージ再生を指示することを特徴とする電話端末に着信情報を表示する方法に関する。
【発明の効果】
【００１４】
本発明によれば、ワンタッチボタンに登録してある相手からの着信情報を電話端末に表示させることで、重要なメッセージをいち早く認識することが可能となる。
【００１５】
本発明の更なる利点及び実施形態を、記述と図面を用いて下記に詳細に説明する。
【図面の簡単な説明】
【００１６】
【図１】本発明の実施形態による電話端末の概略図である。
【図２】本発明の実施形態による電話端末の動作を簡略的に示すための図である。
【図３】本発明の実施形態による電話端末が着信した際の動作を説明するための図である。
【発明を実施するための形態】
【００１７】
以下、本発明の実施形態について図面を参照しつつ説明する。但し、以下に説明する実施形態によって本発明の技術的範囲は何ら限定解釈されることはない。
【００１８】
図１は、本発明の実施形態に係る電話端末１０の構成を示す概略図である。本実施形態による電話端末１０は、例えばナンバーディスプレイ機能、留守番電話機能、及びワンタッチ機能を持つものとして利用される。ワンタッチ機能は、よくかける電話番号をワンタッチボタンに登録しておくと、簡単な操作で登録した電話番号に電話をかけることができ機能である。
【００１９】
図１は、本発明の実施形態によるワンタッチボタン及びダイヤルボタンを有する電話端末１０の構成を示す概略図である。図示される電話端末（電話機）１０は、送受話器１１、メッセージランプ１２、表示部（表示画面）１３、ワンタッチボタン１４、機能ボタン１５、及びダイヤルボタン１６を有している。メッセージランプ１２は着信時などに点灯、点滅して所定のメッセージをユーザに伝える。ワンタッチボタン１４及びダイヤルボタン１６には一部又は全部に透明レンズが組み込まれ、電話機１０内部の動作に従ってレンズを介して赤、緑、青などの色をもって点灯又は点滅する発光源（ＬＥＤなど）が透明レンズに対応して備えられる。表示部１３は、例えばＬＣＤ（液晶ディスプレー）であり、裏面からの照明を受けて表示画面を明るく照らし画面表示文字の見分けを容易にする。ワンタッチボタン１４は複数のワンタッチボタン（Ｍ１、Ｍ２など）を有し、また、ダイヤルボタン１６は複数のダイヤルボタン（ボタン１、ボタン２など）を有している。
【００２０】
通常モードの際には、電話端末１０に設けられたそれぞれのワンタッチボタン１４を操作することで、各ワンタッチボタン１４に登録された電話番号への発信ができる。
【００２１】
図２は、本実施形態による電話端末１０の動作を簡略的に示す図である。本実施形態による電話端末１０は、留守電モードにて、ワンタッチボタン１４に登録してある電話番号の相手から着信を受けている場合、他に数件着信が混在していたとしても、他の相手からの録音メッセージよりも重要な可能性の高い、ワンタッチボタン１４に登録してある相手の録音メッセージをいち早く選択できる機能を提供する。
【００２２】
図２を参照して、留守番モードの際に、ワンタッチボタン１４に登録されている特定の電話番号から着信を受けた場合の例を説明する。まず電話端末１０では、着信があると着信先の発信元番号をワンタッチボタンに予め登録してある電話番号と照合する（Ｓ２０）。例えばワンタッチボタンＭ５に登録してある電話番号と着信先の発信元番号が合致した場合にはワンタッチボタンＭ５が点灯する（Ｓ２１）。ワンタッチボタン１４は例えばＬＥＤ等で点灯させることができる。一方、着信先の発信元番号がワンタッチボタン１４に登録してある電話番号のいずれにも合致しない場合には、通常の留守表示がされる（Ｓ２２）。同様に、同一の発信元番号から着信があった場合には、Ｓ２１又はＳ２２が実行される。また、ワンタッチボタン１４は点滅により件数の表示を行う。次に、電話端末１０の使用者が録音されたメッセージを聞くためにワンタッチボタンＭ５を押下すると（Ｓ２３）、着信履歴の件数をダイヤルボタン１６に割り当てて表示することができる。この場合、１件目の着信がダイヤルボタン１６のボタン１に割り当てられ、また２件目の着信がダイヤルボタン１６のボタン２に割り当てられる（Ｓ２４）。そして、ワンタッチボタンＭ５に登録された電話番号からの着信件数に合わせてダイヤルボタンのボタン１とボタン２が点灯する（Ｓ２５）。点灯様式としては、赤点灯（着信のみ）・緑点灯（着信有り＋メッセージ有り）のように着信情報で色分けができる。点灯様式は上記の例に限られることはなく、青点灯や黄点灯などでもよく着信情報に応じて可視的に識別できる様式であればよい。
【００２３】
例えば、ワンタッチボタンＭ５に登録されている電話番号から３回の着信があり、２回目の着信にだけメッセージ登録がある場合には、ワンタッチボタンＭ５が緑点灯で３回の点滅を繰り返す。ワンタッチボタンＭ５を押下すると、ダイヤルボタン１６のボタン１が赤点灯、ボタン２が緑点灯、ボタン３が赤点灯することになる。このように、メッセージがあるのは２回目（ボタン２）の着信で、それが重要であると判断できるため、使用者はいち早く該当するメッセージを聞くことができる。上記例では、ワンタッチボタンＭ５に登録された発信元からの着信履歴が３件の場合を説明したが、例えば着信履歴が５件の場合にはダイヤルボタン１６のボタン１からボタン５が点灯する。また、着信のみでメッセージが残されていない場合には、その着信件数に合わせて赤点灯で該当件数の点滅を繰り返す。
【００２４】
このように、本実施形態による留守番電話機能を備える電話端末１０は、ワンタッチボタン１４に登録した相手から着信したことや留守番電話のメッセージが登録されたことを、ワンタッチボタン１４に設けられたＬＥＤなどの発光源を点灯や点滅させることにより電話端末１０の使用者に伝えることができる。
【００２５】
また、登録した相手からの着信情報が、着信のみの場合と、メッセージが録音されている場合とで、点灯させるワンタッチボタン１４の発光色を変える。さらに、点灯したワンタッチボタン１４をユーザが押下した場合、何度の着信があったか（着信件数）をダイヤルボタン１６に設けられた発光源を点灯させることにより電話端末１０の使用者により可視的に認識し易く伝える。
【００２６】
本実施形態による電話端末１０は、オンフック状態（回線開放状態）で、ワンタッチボタン１４を押下した場合、以下の動作を行う。例えば、５件の着信があった場合、ダイヤルボタン１６のボタン１からボタン５を点灯させ、着信のみの場合やメッセージが録音されている場合などの着信情報に応じて、ボタン１からボタン５を点灯させる発光源の色を変化させる。メッセージが録音されていることを表示するダイヤルボタン１６を押下した場合、録音されたメッセージが再生される。
【００２７】
一方、オンフック状態（回線補足状態）で、ワンタッチボタン１４を押下した場合、登録されている電話番号を送出し、相手先に電話を掛けることができる。
【００２８】
続いて、図３を参照しながら本発明の実施形態による電話端末１０が着信を受けた際の動作について説明する。図３において点線で囲まれた部分は電話端末１０の内部を示している。なお、制御部１５０は記憶部１４０に展開されたソフトウェアなどに従って動作させることにより、後述する動作を実現する。制御部は、例えばＣＰＵ等で構成され、記憶部はＲＯＭ、ＲＡＭ等で構成されている。
【００２９】
最初に、携帯端末１０において、（ａ）局から着信を受けると同時に電話番号取得部１００で発信者番号を取得する。（ｂ）判断部１１０は、電話端末１０の状態が通常モード又は留守番モードかを判別する。（ｃ）通常モードの場合には、表示部１３に発信者情報を表示する。発信者情報としては、着信件数及びメッセージの有無などの情報の他、登録されている電話番号や名前、着信回数、メッセージ数、何番目のメッセージを再生中であるか等が表示される。（ｄ）留守番モードの場合には、電話番号取得部１００で取得した発信者番号をワンタッチボタン登録部１２０にデータ送付を指示する。（ｅ）ワンタッチボタン登録部１２０では、予め登録してある電話番号と発信者番号取得部１００から送られる発信者番号の照合を行う。（ｇ）ワンタッチボタン登録部１２０は、照合結果を記録部１４０に送付する。（ｆ）メッセージ録音部１３０は、回線を閉結してメッセージを録音し番号を付与する。（ｈ）メッセージの番号を記録部１４０に送付する。そして記録部１４０では、ワンタッチボタン登録部１２０からの照合結果とメッセージ録音部１３０からのメッセージの番号を紐付けする。（ｎ）制御部１５０は、該当するワンタッチボタン１４へのＬＥＤ点灯指示を行う。また、該当しない場合には、通常表示として留守ボタンなどを点灯させる。  
【００３０】
（ｐ）点灯しているワンタッチボタン１４が操作されると、操作情報が記録部１４０に送られる。（ｉ）制御部１５０は、着信履歴の件数に合わせてダイヤルボタン１６にＬＥＤ点灯の指示を行う。（ｊ）メッセージを聞くために該当のダイヤルボタン１６が押されると、ダイヤルボタン１６の押下情報が記録部１４０に送られる。（ｍ）制御部１５０は、着信情報を表示部１３に表示する。（ｋ）また、メッセージ再生をメッセージ録音部１３０に指示する。着信情報としては、着信件数及びメッセージの有無などの情報の他、登録されている電話番号や名前、着信回数、メッセージ数、何番目のメッセージを再生中であるか等が表示部１３に表示される。着信情報は、メッセージの詳細として表示部１３に表示される。
【００３１】
このように、本発明の実施形態による携帯端末１０によると、留守番電話のメッセージを保有した際に、着信情報に対応してワンタッチボタン１４やダイヤルボタン１６が点灯などするため、頻繁に連絡をとる相手からのメッセージを受け付けたことが容易に認識できる。また、同一の発信元からのメッセージに対し、各ボタン１４、１６を着信件数に合わせて点灯させることで重要な選択してメッセージをいち早く聞くことが可能となる。
【符号の説明】
【００３２】
１０  電話機
１１  送受話器
１２  メッセージランプ
１３  表示画面
１４  ワンタッチボタン
１５  機能ボタン
１６  ダイヤルボタン
１００  発信者番号取得部
１１０  判断部
１２０  ワンタッチボタン登録部
１３０  メッセージ録音部
１４０  記録部
１５０  制御部
【図１】
0005429894.tif 000002
【図２】
0005429894.tif 000003
【図３】
0005429894.tif 000004